(57)【特許請求の範囲】
【請求項１】
ケーブルが巻き付けられたノイズ低減部材を保持させるノイズ低減部材の保持部材であって、
前記保持部材は爪部を有し、前記爪部を前記ノイズ低減部材と前記ノイズ低減部材に巻きつけられたケーブルとの間に挿入させて、前記のケーブルを前記爪部に係止させることにより前記ノイズ低減部材を保持させることを特徴とするノイズ低減部材の保持部材。
【請求項２】
請求項１に記載のノイズ低減部材の保持部材において、前記の保持部に、ノイズ低減部材に巻き付けられてノイズ低減部材から延出された一方のケーブルを懸架させる懸架部が設けられていることを特徴とするノイズ低減部材の保持部材。
【請求項３】
請求項１又は請求項２に記載のノイズ低減部材の保持部材において、前記の保持部に、ケーブルが巻き付けられたノイズ低減部材を載置させる載置部が設けられていることを特徴とするノイズ低減部材の保持部材。
【請求項４】
請求項１〜請求項３の何れか１項に記載のノイズ低減部材の保持部材において、前記の保持部が複数設けられていることを特徴とするノイズ低減部材の保持部材。
【請求項５】
請求項１〜請求項４の何れか１項に記載のノイズ低減部材の保持部材に、適当な位置をカバーするカバー部が設けられていることを特徴とするノイズ低減部材の保持部材。
【請求項６】
請求項１〜請求項５の何れか１項に記載のノイズ低減部材の保持部材に、取付対象物に取り付けるための取付部が設けられていることを特徴とするノイズ低減部材の保持部材。
【請求項７】
ケーブルが巻き付けられたノイズ低減部材の保持方法であって、
爪部を有する保持部材の前記爪部を、前記ノイズ低減部材と前記ノイズ低減部材に巻きつけられたケーブルとの間に挿入させて、前記ノイズ低減部材と前記ケーブルとによって前記爪部を挟持させることにより前記ノイズ低減部材を保持させることを特徴とするノイズ低減部材の保持方法。
【発明の詳細な説明】
【技術分野】
【０００１】
本発明は、ケーブルをノイズ低減部材に巻き付けた状態で保持するノイズ低減部材の保持部材及びノイズ低減部材の保持方法に関するものである。特に、ケーブルが巻き付けられたノイズ低減部材をガタ付かないようにして適切に保持させて、適当な位置に取り付けることができ、ノイズの低減を安定して行えるようにした点に特徴を有するものである。
【背景技術】
【０００２】
従来から、電子機器や画像形成装置の内部又は外部で発生したノイズがケーブルを介して影響を及ぼすのを抑制するため、ケーブルをフェライトコア等のノイズ低減部材に巻き付けてノイズ発生源の近くに固定させ、ケーブルを流れるノイズをノイズ低減部材によって低減させることが行われている。
【０００３】
そして、このようにケーブルをノイズ低減部材に巻き付けてノイズ発生源の近くに固定させるにあたり、特許文献１においては、ケーブルを巻き付けたノイズ低減部材におけるカバーにやじり状の固定部を設け、装置等の取付対象物に形成された穴に、前記のやじり状の固定部を差し込んで、ノイズ低減部材を取付対象物に固定させるようにしたものが示されている。
【０００４】
また、特許文献２においては、ノイズ低減部材の外周面に弾性力を付勢して当てる外周保持部と、内周面に弾性力を付勢して当てる内周保持部とでノイズ低減部材を挟み、それぞれの保持部先端に形成されている突部によりノイズ低減部材を係止させて固定させるようにしたものが示されている。
【０００５】
しかし、特許文献１に示されるものにおいては、ノイズ低減部材におけるカバーにやじり状の固定部を設け、このやじり状の固定部を取付対象物に形成された穴に差し込んで固定するため、ノイズ低減部材の汎用性が低く、ノイズ低減部材のコストが高く付き、またノイズ低減部材の取付位置を適切な位置に変更させたり、ノイズ低減部材に巻き付けたケーブルに不具合が生じた場合等において、ノイズ低減部材を取り外したりする作業が困難になる等の問題があった。
【０００６】
また、特許文献２に示されるように、外周保持部と内周保持部とでノイズ低減部材を挟む構成では、ノイズ低減部材の内周側に内周保持部が存在するために、ノイズ低減部材にケーブルを巻き付ける回数が限定され、そのため、ノイズ低減部材のサイズを大きくすることが必要になって大型化するという問題があった。
【先行技術文献】
【特許文献】
【０００７】
【特許文献１】特開平１１−２０４９８０号公報
【特許文献２】特開２００７−３２４１５８号公報
【発明の開示】
【発明が解決しようとする課題】
【０００８】
本発明は、ケーブルが巻き付けられたノイズ低減部材を保持するにあたり、ケーブルが巻き付けられたノイズ低減部材をガタ付かないようにして適切に保持させて、適当な位置に取り付けることができ、ノイズの低減を安定して行えるノイズ低減部材の保持部材及びノイズ低減部材の保持方法を提供することを課題とするものである。
【課題を解決するための手段】
【０００９】
本発明に係るノイズ低減部材の保持部材においては、前記のような課題を解決するため、ケーブルが巻き付けられたノイズ低減部材を保持させるノイズ低減部材の保持部材であって、前記保持部材は爪部を有し、前記爪部を前記ノイズ低減部材と前記ノイズ低減部材に巻きつけられたケーブルとの間に挿入させて、前記のケーブルを前記爪部に係止させることにより前記ノイズ低減部材を保持させるようにした。
【００１０】
また、本発明に係るノイズ低減部材の保持方法においては、ケーブルが巻き付けられたノイズ低減部材の保持方法であって、爪部を有する保持部材の前記爪部を、前記ノイズ低減部材と前記ノイズ低減部材に巻きつけられたケーブルとの間に挿入させて、前記ノイズ低減部材と前記ケーブルとによって前記爪部を挟持させることにより前記ノイズ低減部材を保持させるようにした。
【００１２】
また、前記の保持部材においては、前記のようにノイズ低減部材に巻き付けられたケーブルを爪部に係止させて、ケーブルが巻き付けられたノイズ低減部材を保持部に保持させると共に、前記の保持部に懸架部を設け、この懸架部にノイズ低減部材に巻き付けられてノイズ低減部材から延出された一方のケーブルを懸架させるようにしたり、また前記の保持部に載置部を設け、この載置部にケーブルが巻き付けられたノイズ低減部材を載置させるようにしたりすることができる。
【００１３】
また、前記の保持部材においては、前記のような保持部を複数設け、各保持部にそれぞれケーブルが巻き付けられたノイズ低減部材を保持させるようにすることができる。
【００１４】
また、前記の保持部材にカバー部を設け、前記のようにケーブルが巻き付けられたノイズ低減部材をこの保持部材における保持部に保持させると共に、保持部材に設けられたカバー部によってハーネス部等をカバーさせるようにすることができる。
【００１５】
さらに、前記の保持部材に取付部を設け、ケーブルが巻き付けられたノイズ低減部材を保持部に保持させた状態で、この保持部材を前記の取付部により装置等の取付対象物に取り付けるようにすることができる。
【発明の効果】
【００１６】
本発明におけるノイズ低減部材の保持部材及びノイズ低減部材の保持方法においては、前記のように保持部材における爪部をノイズ低減部材とノイズ低減部材に巻きつけられたケーブルとの間に挿入させて、前記のケーブルを前記の爪部に係止させることにより、ケーブルが巻き付けられたノイズ低減部材を保持部材の保持部に保持させるようにしたため、ケーブルが巻き付けられたノイズ低減部材をガタ付かないようにして保持部材に適切に保持されるようになると共に、この保持部材を介して、ケーブルが巻き付けられたノイズ低減部材を適当な位置に簡単に取り付けることができるようになる。
【図面の簡単な説明】
【００１７】
【図１】本発明の一実施形態において、ノイズ低減部材における中央の穴部にケーブルを挿通させて、ケーブルをノイズ低減部材に巻き付けた状態を示した概略説明図である。
【図２】前記の実施形態において、ケーブルが巻き付けられたノイズ低減部材を保持させる第１〜第３の３つの保持部が設けられた保持部材の概略斜視図である。
【図３】前記の実施形態において、ケーブルが巻き付けられたノイズ低減部材を、保持部材の第１の保持部に保持させた状態を示した概略斜視図である。
【図４】前記の実施形態において、ケーブルが巻き付けられたノイズ低減部材を、保持部材の第２の保持部に保持させた状態を示した概略斜視図である。
【図５】前記の実施形態において、ケーブルが巻き付けられたノイズ低減部材を、保持部材の第３の保持部に保持させた状態を示した概略斜視図である。
【図６】前記の実施形態において、ケーブルが巻き付けられたノイズ低減部材を保持部材における第１〜第３の３つの保持部に保持させた状態で、保持部材におけるカバー部によりハーネス部をカバーさせるようにして、保持部材を取付対象物に取り付けた状態を示した概略説明図である。
【発明を実施するための最良の形態】
【００１８】
次に、本発明の実施形態に係るノイズ低減部材の保持部材及びノイズ低減部材の保持方法を添付図面に基づいて具体的に説明する。なお、本発明に係るノイズ低減部材の保持部材及びノイズ低減部材の保持方法は、下記の実施形態に示したものに限定されず、その要旨を変更しない範囲において適宜変更して実施できるものである。
【００１９】
本発明の実施形態においては、図１に示すように、フェライトコアを収容させた円筒形状のノイズ低減部材２０を用い、このノイズ低減部材２０における中央の穴部２１にケーブル２２を挿通させて、ケーブル２２をノイズ低減部材２０に巻き付けるようにしている。
【００２０】
そして、この実施形態に係る保持部材１０においては、図２に示すように、前記のようにケーブル２２が巻き付けられたノイズ低減部材２０を保持させる保持部１１として、３つの保持部１１Ａ，１１Ｂ，１１Ｃを直列に設けている。
【００２１】
ここで、第１の保持部１１Ａにおいては、図２及び図３に示すように、ケーブル２２を係止させる爪部１２と、ノイズ低減部材２０に巻き付けられてノイズ低減部材２０から延出された一方のケーブル２２を懸架させる懸架部１３とを設けている。そして、前記の爪部１２をノイズ低減部材２０とノイズ低減部材２０に巻き付けられたケーブル２２との間に挿入させて、ケーブル２２をこの爪部１２に係止させると共に、ノイズ低減部材２０に巻き付けられてノイズ低減部材２０から延出された一方のケーブル２２を懸架部１３に懸架させて、この第１の保持部１１Ａに、ケーブル２２が巻き付けられたノイズ低減部材２０を保持させるようにしている。
【００２２】
また、第２の保持部１１Ｂにおいては、図２及び図４に示すように、ケーブル２２を係止させる爪部１２と、ケーブル２２が巻き付けられたノイズ低減部材２０を載置させる載置部１４とを設けている。そして、前記の爪部１２をノイズ低減部材２０とノイズ低減部材２０に巻き付けられたケーブル２２との間に挿入させて、ケーブル２２をこの爪部１２に係止させると共に、ケーブル２２が巻き付けられたノイズ低減部材２０を載置部１４に載置させて、この第２の保持部１１Ｂに、ケーブル２２が巻き付けられたノイズ低減部材２０を保持させるようにしている。
【００２３】
また、第３の保持部１１Ｃにおいては、図２及び図５に示すように、ケーブル２２を係止させる爪部１２と、ケーブル２２が巻き付けられたノイズ低減部材２０を載置させる載置部１４とを設けている。そして、前記の爪部１２をノイズ低減部材２０とノイズ低減部材２０に巻き付けられたケーブル２２との間に挿入させて、ケーブル２２をこの爪部１２に係止させると共に、ケーブル２２が巻き付けられたノイズ低減部材２０を載置部１４に載置させて、この第３の保持部１１Ｃに、ケーブル２２が巻き付けられたノイズ低減部材２０を保持させるようにしている。
【００２４】
また、この実施形態に係る保持部材１０においては、図２〜図６に示すように、ケーブル２２が巻き付けられたノイズ低減部材２０を保持させる各保持部１１Ａ，１１Ｂ，１１Ｃを直列に連結させる部分にカバー部１５を設け、このカバー部１５によってこの保持部材１０を取り付ける装置等の取付対象物３０に設けられたハーネス部３１をカバーさせるようにしている。また、この保持部材１０を前記の取付対象物３０に取り付けるための取付部１６を設け、この取付部１６を介してネジ１７によって保持部材１０を取付対象物３０に取り付けるようにしている。
【００２５】
このようにすると、前記の保持部材１０における各保持部１１Ａ，１１Ｂ，１１Ｃに、ケーブル２２が巻き付けられたノイズ低減部材２０をガタ付かないようにして適切に保持させることができると共に、この保持部材１０におけるカバー部１５によってハーネス部３１等を適切にカバーして保護した状態で、この保持部材１０を介してケーブル２２が巻き付けられたノイズ低減部材２０を、装置等の取付対象物３０の適当な位置に簡単に取り付けることができるようになる。
【００２６】
なお、この実施形態における保持部材１０においては、ケーブル２２が巻き付けられたノイズ低減部材２０を保持させる保持部１１を直列に３つ設けるようにしたが、保持部材１０に設ける保持部１１の数は特に限定されず、また保持部１１を並列に複数並設させるようにすることもできる。
【符号の説明】
【００２７】
１０    ：保持部材
１１    ：保持部、１１Ａ  ：第１の保持部、１１Ｂ  ：第２の保持部、１１Ｃ  ：第３の保持部
１２    ：爪部
１３    ：懸架部
１４    ：載置部
１５    ：カバー部
１６    ：取付部
１７    ：ネジ
２０    ：ノイズ低減部材
２１    ：穴部
２２    ：ケーブル
３０    ：取付対象物
３１    ：ハーネス部
【図１】
0006304111.tif 000002
【図２】
0006304111.tif 000003
【図３】
0006304111.tif 000004
【図４】
0006304111.tif 000005
【図５】
0006304111.tif 000006
【図６】
0006304111.tif 000007